(57)【要約】【課題】押圧操作されて機能する押圧スイッチ部と回転操作されて機能する回転スイッチ部とをあわせ持つ複合操作型スイッチに関し、各固定接点などの配設が簡素で、固定接点用の材料幅を抑えて使用材料の効率化を図った複合操作型スイッチを提供することを目的とする。【解決手段】スイッチケース２１の第１凹部２１Ａに配された押圧スイッチ部用の内部固定接点としての中央固定接点２２、第１外側固定接点２３Ａ、第２外側固定接点２４の各々と接続された端子２２Ａ，２３Ｃ，２４Ａがスイッチケース２１の側壁から外方へ相互に平行に３本が１組となって左右で２組延出され、回転スイッチ部用の周辺固定接点としての第１、第２信号接点２５，２６およびそれらに接続された各端子２５Ａ，２６Ａがスイッチケース２１の後方に配設された構成のものとした。【選択図】図２
2010123362.tif 000002
【特許請求の範囲】
【請求項１】
上面に備えた凹部が円状壁部により内側の第１凹部と外側の第２凹部とに仕切られ、上記第１凹部の内底面に押圧スイッチ部用の複数の内部固定接点と上記第２凹部の内底面に回転スイッチ部用の複数の周辺固定接点が配設されたスイッチケースと、上記第１凹部内に配された可動接点と、上記円状壁部上面に配された絶縁フィルム製のカバーシートと、下面に上記複数の周辺固定接点上を摺動する摺動子を備えて上記円状壁部に回転可能に組み合わされた環状部とその一端から上記スイッチケースの前方に操作部を突出させた回転体と、この回転体の上方から上記スイッチケースの第２凹部上面を塞ぐように取り付けられたカバーとからなり、上記押圧スイッチ部用の複数の内部固定接点が、上記円状壁部内の中央に位置した中央固定接点とその中央固定接点を間にして所定距離離された第１外側固定接点と第２外側固定接点で構成され、それら各固定接点からの引出し部分が上記スイッチケースの外方に向けてそれぞれが一組となって同じ方向に導出されていることを特徴とする複合操作型スイッチ。
【請求項２】
スイッチケースに、第１凹部内の空気をその外方と連通させるための空気流通手段を備えさせたことを特徴とする請求項１記載の複合操作型スイッチ。
【請求項３】
第２凹部に、スイッチケースの前方に突出した操作部が当接する仕切壁を回転動作範囲の両側に設け、その仕切壁の上面にカバー下面が当接状態になされたことを特徴とする請求項１記載の複合操作型スイッチ。
【発明の詳細な説明】
【技術分野】
【０００１】
本発明は、押圧操作されて機能する押圧スイッチ部と回転操作されて機能する回転スイッチ部とをあわせ持つ複合操作型スイッチに関するものである。
【背景技術】
【０００２】
電子機器の多機能化対応、また手元操作の集中化を図るため、複数のスイッチ機能を備える複合操作型スイッチが要望されており、例えば、デジタルカメラのシャッター部と、撮影モード選択部またはズーム操作部が組み合わされたものが知られている。
【０００３】
このような従来の複合操作型スイッチについて、図６〜図９を用いて以下に説明する。
【０００４】
図６は従来の複合操作型スイッチの分解斜視図、図７は図６のＰ−Ｐ断面図、図８は図６のＱ−Ｑ断面図、図９はスイッチケースの平面図であり、同図において、１は上方開口の凹部を有したスイッチケースで、凹部の中央部に押圧スイッチ部用の固定接点２を備え、その押圧スイッチ部用の固定接点２の外周部位置に回転スイッチ部用の固定接点３を備えており、それら固定接点２，３それぞれに接続された端子４がスイッチケース１の外方に延設されている。
【０００５】
そして、押圧スイッチ部用の固定接点２は、中央に中央固定接点２Ａとその外側に第１外側固定接点２Ｂ、さらにその外側に第２外側固定接点２Ｃが配設されて構成されており、回転スイッチ部用の固定接点３は、上記第２外側固定接点２Ｃより外側で同心円周方向にそれぞれ所定中心角度で複数箇所に配設された周辺固定接点３Ａ〜３Ｅで構成されている。
【０００６】
５は上方凸形の円形ドーム状をした第１可動接点で、その外周部から２つの係止部５Ａが対向する位置に延設され、その係止部５Ａには上方へ突出した折曲部が設けられている。この第１可動接点５の円形ドーム状の外周部下端が上記スイッチケース１の第１外側固定接点２Ｂ上に常接載置されて、ドーム状の中央部下面が中央固定接点２Ａから離れて対面している。
【０００７】
６は上記第１可動接点５の上方に間隔を有して配置された上方凸形の円形ドーム状をした第２可動接点で、その下面は、下方の上記第１可動接点５のドーム状の中央部上面と対面しており、上記円形ドーム状部分の外周部から四方に延設された脚部６Ａのうちの１つが上記第２外側固定接点２Ｃ上に常接載置されている。
【０００８】
７は上記第２可動接点６の上方に位置され、上記第１、第２可動接点５，６およびそれらに対応する中央固定接点２Ａ、第１、第２外側固定接点２Ｂ，２Ｃで構成される押圧スイッチ部を覆っている絶縁シートである。
【０００９】
９は環状部９Ａの下面に摺動子８を備え、その環状部９Ａから上記スイッチケース１の開口した前方に操作部９Ｂを突出させて配置された回転体で、操作部９Ｂに対する左右方向への回転操作で上記摺動子８の４つの接触部８Ａが上記周辺固定接点３Ａ〜３Ｅ上を摺動し、上記複数の周辺固定接点３Ａ〜３Ｅの対応するものの間を接離させる構成となっている。
【００１０】
１０は中央孔１０Ａを有し、上記回転体９の上方への移動を規制してスイッチケース１の上面に取り付けられたカバーである。
【００１１】
以上のように従来の複合操作型スイッチは構成されており、次にその動作を説明する。
【００１２】
まず押圧スイッチ部の動作としては、カバー１０の中央孔１０Ａ上方から絶縁シート７を介して第２可動接点６に押下力を加えると、第２可動接点６のドーム状部分が弾性反転してその下面が第１可動接点５の上面に接触する。それにより、第１可動接点５、第２可動接点６を介して、第１外側固定接点２Ｂと第２外側固定接点２Ｃとが導通する。そして、その状態からさらに押下すると、第１可動接点５のドーム状部分が弾性反転して、その下面が中央固定接点２Ａに接触し、第１外側固定接点２Ｂ、第２外側固定接点２Ｃそして中央固定接点２Ａが相互に導通した状態となる。
【００１３】
そして、この状態から押下力を解除すると、第１可動接点５が元のドーム状に自己復元して、中央固定接点２Ａが電気的に独立状態となり、続いて第２可動接点６が元のドーム状に自己復元して、第１外側固定接点２Ｂと第２外側固定接点２Ｃとの間も電気的に独立状態となって、元の図７、図８に示す状態に戻る。
【００１４】
次に、回転スイッチ部の動作について簡単に説明すると、回転体９のスイッチケース１から前方に突出した操作部９Ｂを右方向に回転操作すると、環状部９Ａ下面に備えられた摺動子８の４つの接触部８Ａの接触位置が変わって、まずは周辺固定接点３Ａ，３Ｂ間のみが導通され、その状態からさらに右方向に操作部９Ｂを回転操作すると、周辺固定接点３Ａ，３Ｃ間のみが導通される。
【００１５】
回転体９の操作部９Ｂを左方向に回転操作すると、摺動子８の４つの接触部８Ａの接触位置が変わって、まずは周辺固定接点３Ａ，３Ｄ間のみが導通され、さらに左方向に操作部９Ｂを回転操作すると、周辺固定接点３Ａ，３Ｅ間のみが導通されるものであった。
【００１６】
なお、この出願の発明に関連する先行技術文献情報としては、例えば、特許文献１が知られている。
【特許文献１】特開２００８−１７７０９８号公報
【発明の開示】
【発明が解決しようとする課題】
【００１７】
しかしながら上記従来の複合操作型スイッチにおいては、回転スイッチ部用の周辺固定接点３Ａ〜３Ｅの配置が複雑で相互の位置精度も必要であり、かつ各固定接点２，３がスイッチケース１全面にわたって広く配設されているため幅広な材料幅のものにより形成する必要があるという課題があった。
【００１８】
本発明は、このような従来の課題を解決するものであり、各固定接点などの配設状態が簡素で、固定接点用の材料幅を抑えて使用材料の効率化を図った複合操作型スイッチを提供することを目的とする。
【課題を解決するための手段】
【００１９】
上記目的を達成するために本発明は、以下の構成を有するものである。
【００２０】
本発明の請求項１に記載の発明は、上面に備えた凹部が円状壁部により内側の第１凹部と外側の第２凹部とに仕切られ、上記第１凹部の内底面に押圧スイッチ部用の複数の内部固定接点と上記第２凹部の内底面に回転スイッチ部用の複数の周辺固定接点が配設されたスイッチケースと、上記第１凹部内に配された可動接点と、上記円状壁部上面に配された絶縁フィルム製のカバーシートと、下面に上記複数の周辺固定接点上を摺動する摺動子を備えて上記円状壁部に回転可能に組み合わされた環状部とその一端から上記スイッチケースの前方に操作部を突出させた回転体と、この回転体の上方から上記スイッチケースの第２凹部上面を塞ぐように取り付けられたカバーとからなり、上記押圧スイッチ部用の複数の内部固定接点が、上記円状壁部内の中央に位置した中央固定接点とその中央固定接点を間にして所定距離離された第１外側固定接点と第２外側固定接点で構成され、それら各固定接点からの引出し部分が上記スイッチケースの外方に向けてそれぞれが一組となって同じ方向に導出されていることを特徴とする複合操作型スイッチとしたものであり、押圧スイッチ部用の内部固定接点および回転スイッチ部用の各周辺固定接点の配設状態などが簡素なものにでき、固定接点用の材料幅を小さくして使用材料の効率化を図った複合操作型スイッチを提供できるという作用を有する。
【００２１】
請求項２に記載の発明は、請求項１記載の発明において、スイッチケースに、第１凹部内の空気をその外方と連通させるための空気流通手段を備えさせたことを特徴とするものであり、押圧スイッチ部の操作時には可動接点の弾性反転と自己復元に伴いドーム状部分下方の空気の圧縮等が発生するが、当該構成であれば、第１凹部内外での空気の流通に伴ってその空気の圧縮等による抵抗の軽減が図れて押圧スイッチ部の動作感触が良好なものにできるという作用を有する。
【００２２】
請求項３に記載の発明は、請求項１記載の発明において、第２凹部に、スイッチケースの前方に突出した操作部が当接する仕切壁を回転動作範囲の両側に設け、その仕切壁の上面にカバー下面が当接状態になされたことを特徴とするものであり、操作部の回転止めが強固になされるものにでき、回転スイッチ部用の周辺固定接点部分の防塵も図れたものに構成できるという作用を有する。
【発明の効果】
【００２３】
以上のように本発明によれば、各固定接点などの配設状態が簡素なものにできるため、固定接点用の材料幅を抑えて使用材料の効率化を図った複合操作型スイッチを提供することができるという有利な効果が得られる。
【発明を実施するための最良の形態】
【００２４】
以下、本発明の実施の形態について、図１〜図５を用いて説明する。
【００２５】
（実施の形態）
図１は本発明の一実施の形態による複合操作型スイッチの外観図、図２は同分解斜視図、図３は図１のＲ−Ｒ断面図である。同図において、２１は絶縁樹脂製のスイッチケースであり、中央部に上方開口の第１凹部２１Ａを備えた円状壁部２１Ｃが設けられ、その円状壁部２１Ｃを囲んでその外周位置に上方開口の第２凹部２１Ｂが円環状に設けられている。上記円状壁部２１Ｃの上面には、第１凹部２１Ａと第２凹部２１Ｂ間を連通する溝部２１Ｄが形成されているが、それ以外の上面位置は平面に形成されている。その溝部２１Ｄの位置は、後述する回転体３１の操作部３１Ｂが突出する方向とは逆の後方側に設けられている。
【００２６】
そして、図４に示すように、上記第１凹部２１Ａ内底面の中央には中央固定接点２２が配され、その中央固定接点２２を挟んで点対称となる前後位置には第２外側固定接点２４、補助固定接点２３Ｂがそれぞれ突設されている。第２外側固定接点２４と補助固定接点２３Ｂとは、同じ高さで突設されている。また、その補助固定接点２３Ｂと繋がって第１凹部２１Ａ内底面の隅の２ヶ所に、内底面と同一平面上で露呈した第１外側固定接点２３Ａが設けられており、それらで押圧スイッチ部用の内部固定接点としてなる各固定接点２２，２３Ａ，２３Ｂ，２４が構成されている。なお、本実施の形態では第１外側固定接点２３Ａを２ヶ所に設けたものとしたが、それは少なくとも１ヶ所設けてあれば良く、上述したように複数箇所とすることで接触信頼性の向上が図れる。
【００２７】
そして、中央固定接点２２に繋がってスイッチケース２１の左右方向の側壁から外方の２ヶ所に端子２２Ａが延出され、同様に第２外側固定接点２４に繋がってスイッチケース２１の左右方向の側壁から外方の２ヵ所に端子２４Ａが延出され、さらに補助固定接点２３Ｂ、第１外側固定接点２３Ａと繋がってスイッチケース２１の左右方向の側壁から外方の２ヶ所に端子２３Ｃが延出されており、これらは、それぞれ左右方向で平行な直線状で引き出されている。つまり、中央固定接点２２、第１外側固定接点２３Ａ、第２外側固定接点２４の各々と接続された端子２２Ａ，２３Ｃ，２４Ａはスイッチケース２１の側壁から外方へ３本が１組となって左右で２組延出されている。
【００２８】
また、回転スイッチ部用として、円状壁部２１Ｃ外周位置に設けられた円環状の第２凹部２１Ｂ内底面には複数の周辺固定接点が配設されている。複数の周辺固定接点は、スイッチケース２１の後方側の位置に配設されており、コモン固定接点２７、第１信号接点２５そして第２信号接点２６から構成されている。
【００２９】
コモン固定接点２７は、押圧スイッチ部用の上記第１外側固定接点２３Ａからスイッチケース２１の左右の側壁から延出された端子２３Ｃに至る中間位置で、上記第２凹部２１Ｂと交差する位置の内底面の２ヶ所に内底面と同一平面で露呈している。すなわち、コモン固定接点２７と第１外側固定接点２３Ａとは同一部材で構成されており、その端子２３Ｃも共用されている。そして、２ヶ所の上記コモン固定接点２７に挟まれた後方側となる上記第２凹部２１Ｂの内底面には、半径方向に亘って続くと共に円状壁部２１Ｃ外周に沿って周方向に配された略Ｌ字状の第１信号接点２５と、その第１信号接点２５の周方向に配された部分に対し、さらに間隔をあけた外周側位置に配された略矩形状の第２信号接点２６のそれぞれが所定の角度範囲で設けられており、これらコモン固定接点２７、第１信号接点２５、第２信号接点２６からなる周辺固定接点は、スイッチケース２１の前後方向の中心線に線対称で２組配設されている。そして、第１信号接点２５、第２信号接点２６とそれぞれ接続された端子２５Ａ，２６Ａは、スイッチケース２１後方から外方へ延出されている。
【００３０】
このように、押圧スイッチ部用の内部固定接点２２，２３Ａ，２３Ｂ，２４およびそれに接続された各端子２２Ａ，２３Ｃ，２４Ａは、スイッチケース２１の中央部において所定前後幅内に配置され、回転スイッチ部用の周辺固定接点２５，２６，２７は後方にまとめて配設され、周辺固定接点２５，２６に接続された各端子２５Ａ，２６Ａはスイッチケース２１の後方に延出させた構成としているため、スイッチケース２１内の配設位置関係が簡素で、それら各固定接点を形成するための材料幅も従来に比べて幅小にでき、使用材料を削減して効率化を図ることができる。
【００３１】
そして、上記第１凹部２１Ａ内には、中央貫通孔を有して上方に膨らんだドーム状の円環部２８Ａとその円環部２８Ａの外縁から斜め下方に延出した４つの脚部２８Ｂを等角位置に備えた弾性金属薄板からなる第１可動接点２８が収容されている。第１凹部２１Ａは、この第１可動接点２８の外形と上面視相似形状に形成されており、円環部２８Ａの外形に対応する壁部の内径は円環部２８Ａの外径より僅かに大きく形成されている。
【００３２】
この第１凹部２１Ａ内に収容された状態で、第１可動接点２８の２つの脚部２８Ｂ下端は第１凹部２１Ａの隅に設けられた２ヶ所の第１外側固定接点２３Ａ上に当接載置されており、補助固定接点２３Ｂと第２外側固定接点２４は上記円環部２８Ａの下方に隙間を有して対面している。
【００３３】
２９は下方開口の円形ドーム状に膨らんだ弾性金属薄板からなる第２可動接点で、上記第１可動接点２８の円環部２８Ａ上に載置されて配され、そのドーム状の頂点部下面は、上記第１可動接点２８の中央貫通孔を介して上記中央固定接点２２と間隔をあけて対面状態となっている。なお、第２可動接点２９の外径は円環部２８Ａの外径より僅かに小径に設定されており、円環部２８Ａ上で組み合わせズレが生じても第１凹部２１Ａの壁部に第２可動接点２９の外周端が当接してそのズレが規制される構成になっている。
【００３４】
ここに、上記第１可動接点２８の円環部２８Ａが押下されてドーム状部分が弾性反転する押下力は、上記第２可動接点２９のドーム状部分が弾性反転する押下力より小さく設定している。
【００３５】
そして、３０は可撓性を有した絶縁フィルム製の円形のカバーシートで、図示しない下面の粘着層により第２可動接点２９の上面を粘着保持すると共にその粘着層で円状壁部２１Ｃの上面に貼り付けられて固定されており、第１凹部２１Ａ上はカバーシート３０で覆われている。
【００３６】
３１は環状部３１Ａの一端からスイッチケース２１の前方に向けて操作部３１Ｂを突出させて配された絶縁樹脂製の回転体で、環状部３１Ａの内面は上記円状壁部２１Ｃの外周側面に回転可能に外嵌されている。上記環状部３１Ａの下面には、略円弧状の摺動子３２が固定されており、上記摺動子３２は、略円弧状の両端部がそれぞれ二股に分かれた接触部３２Ａ，３２Ｂとなり、その接触部３２Ａ，３２Ｂは、図４に黒丸で示すように回転操作されていない通常状態で第２凹部２１Ｂの内底面の上記コモン固定接点２７と第１信号接点２５との間の絶縁樹脂上にそれぞれ位置している。
【００３７】
３３は中央部が凹形状になされ、その凹形状の中心部分に貫通孔３３Ａを有したカバーで、上記回転体３１の上方への移動を規制するようにスイッチケース２１上面に固定されている。上記貫通孔３３Ａからは上記カバーシート３０が露呈している。
【００３８】
次に、以上のように構成された複合操作型スイッチの動作を説明する。
【００３９】
まず押圧スイッチ部の動作は、カバー３３の貫通孔３３Ａに露出したカバーシート３０を介して第２可動接点２９のドーム状頂点部に押下力を加えると、第２可動接点２９を介して第１可動接点２８の円環部２８Ａに押下力が加わる。その押下力が所定の力を超えると、第１可動接点２８の脚部２８Ｂが撓みながら円環部２８Ａがクリック感を伴って弾性反転して、円環部２８Ａ下面が下方に対面した第２外側固定接点２４、補助固定接点２３Ｂに接触し、第１可動接点２８を介して第１外側固定接点２３Ａ、補助固定接点２３Ｂ、第２外側固定接点２４の間が電気的に導通する。
【００４０】
なお、円環部２８Ａ下方に対面する補助固定接点２３Ｂは、第１可動接点２８の脚部２８Ｂの２つが第１凹部２４Ａ隅部に配された２ヶ所の第１外側固定接点２３Ａに常接載置されているので、電気的には不要であるが、円環部２８Ａの弾性反転動作後の第２外側固定接点２４との接触安定性の維持などを図るために有用なものであり、補助固定接点２３Ｂを設けておくことが好ましい。
【００４１】
そして、押下力をさらに加えていくと、第１可動接点２８が弾性反転した状態で次に第２可動接点２９がクリック感を伴って弾性反転し、そのドーム状頂点部の下面が下方に対面している中央固定接点２２に接触する。これにより、第１可動接点２８、第２可動接点２９を介して、中央固定接点２２、第１外側固定接点２３Ａ、補助固定接点２３Ｂそして第２外側固定接点２４のすべてが電気的に導通する。
【００４２】
次に、加えていた押下力を解除すると、まず第２可動接点２９がクリック感を伴って元のドーム状に自己復元し、第１外側固定接点２３Ａ、補助固定接点２３Ｂおよび第２外側固定接点２４に対して中央固定接点２２が電気的に独立状態となる。そして続いて、第１可動接点２８の脚部２８Ｂの撓みが元に戻りながらクリック感を伴って円環部２８Ａが元の上方に膨らんだドーム状に自己復元して、円環部２８Ａが第２外側固定接点２４、補助固定接点２３Ｂから離れて、第１外側固定接点２３Ａおよび補助固定接点２３Ｂに対して第２外側固定接点２４が電気的に独立状態に戻る。
【００４３】
この２段階でスイッチング動作する押圧スイッチ部は、例えば第１可動接点２８によるスイッチ動作がデジタルカメラ等のピント合わせ機能に割り当てられ、第２可動接点２９によるスイッチ操作がシャッター機能に割り当てられるなどして用いることができるものである。
【００４４】
ここに、その押圧スイッチ部の動作において、第１可動接点２８や第２可動接点２９が弾性反転したり自己復元する際には、ドーム状の下方部分の空気が瞬間的に圧縮等されたりするが、当該構成では、円状壁部２１Ｃの上面に第１凹部２１Ａと第２凹部２１Ｂを連通する溝部２１Ｄを設けているので、空気の流通が確保されて上記圧縮などによる圧力の抵抗が軽減され、動作感触が良好に得られるものにできる。
【００４５】
次に回転スイッチ部の動作を説明する。
【００４６】
図１に示すように、回転体３１のスイッチケース２１から前方に突出した操作部３１Ｂが前方中央に位置した通常状態では、回転体３１の円環部３１Ａ下面に固定された摺動子３２の接触部３２Ａ，３２Ｂは、図４の黒丸で示すように、それぞれコモン固定接点２７と第１信号接点２５との間の絶縁樹脂上に位置している。この状態から、回転体３１の操作部３１Ｂを左方向に回転操作すると、まず、図４の黒丸に近い側の白丸で示すように、環状部３１Ａ下面に備えられた摺動子３２の一端の接触部３２Ａが絶縁樹脂上から第１信号接点２５上に移動し、他端の接触部３２Ｂが絶縁樹脂上からコモン固定接点２７上に移動する。これにより、コモン固定接点２７と第１信号接点２５との間が電気的に導通し、第１スイッチが機能する。
【００４７】
そして、さらに同じ方向に回転操作すると、図４の黒丸から遠い側の次の白丸で示すように、一端の接触部３２Ａの二股となった片方は第１信号接点２５上を摺動移動し、残りの片方が第１信号接点２５上から第２信号接点２６上に移動し、他端の接触部３２Ｂは引き続きコモン固定接点２７上を摺動移動して、コモン固定接点２７、第１信号接点２５、第２信号接点２６の間が電気的に導通状態となって、第２スイッチが機能する。
【００４８】
つまり、回転スイッチ部は一方側の方向に向けての回転操作によって、第１スイッチとしてコモン固定接点２７と第１信号接点２５が導通し、第２スイッチとしてコモン固定接点２７と第１、第２信号接点２５，２６が導通する２段階にスイッチングする構成になっている。なお、第２スイッチが機能した状態で回転体３１の操作部３１Ｂはスイッチケース２１の前方開口端に当接して回転止めがなされる。
【００４９】
そして、操作部３１Ｂを元の通常状態位置に戻す間の動作は、上述の逆の順になるのみであるので、説明は省略する。
【００５０】
また、通常状態位置から操作部３１Ｂを右方向に回転させた場合も、コモン固定接点２７や第１信号接点２５と第２信号接点２６を対とした配設位置関係がスイッチケース２１の前後方向の中心線に対して線対称位置に配設されているため、同様の接離動作となる。
【００５１】
以上に説明したように、本実施の形態による回転スイッチ部用の第１スイッチと第２スイッチは、摺動子３２の接触部３２Ａ，３２Ｂの二股となった片方が常に第１信号接点２５の周方向に配された部分の上を摺動している状態で、残りの片方が第１信号接点２５上から絶縁樹脂部分を経て第２信号接点２６上に至る構成のものとしている。
【００５２】
これは、例えばデジタルカメラ等のズーム操作を２段階で働くように構成した際に、第１スイッチでゆっくりズームが機能し、第２スイッチが機能するとズームスピードが速く機能するなどに用いることができ、第１スイッチと第２スイッチとの動作間にオフ状態が発生しないので使い勝手も良好なものとなる。
【００５３】
以上のように本実施の形態によるものは、スイッチケース２１に配設された押圧スイッチ部用の中央固定接点２２に対し、補助固定接点２３Ｂや第１外側固定接点２３Ａをその後方位置に配設し、また第２外側固定接点２４をその前方位置に配設し、それらからの各引出し部分をそれぞれ左右に向けて直線状で相互に平行に延出させて端子２２Ａ，２３Ｃ，２４Ａを導出させた構成としている。この配置状態であれば、スイッチケース２１の後方側の位置に回転スイッチ部用の第１信号接点２５、第２信号接点２６およびそれらと繋がる端子２５Ａ，２６Ａをまとめて配設して構成できる。このため、それら各固定接点や端子の配設状態が簡素で、各固定接点を形成するために用いる材料幅も従来のものよりも細幅なものにでき、使用材料の削減や効率化を図りつつ複合操作型スイッチを構成することができる。さらに上述したように、コモン固定接点２７を第１外側固定接点２３Ａ等と共用化すると、より構成面での簡素化が図られたものとして実現することができる。さらには、回転スイッチ部用の固定接点がまとまった領域内で配設されたものにできるため、それに対応する摺動子３２もコンパクトな形状のもので済み、これも高品質で安価なものとする際に寄与するようにできる。
【００５４】
なお、図５の別形態のスイッチケースの平面図に示すように、第１信号接点３５と第２信号接点３６を個々に所定角度で放射状に配設して構成しても良い。例えば、デジタルカメラ等の撮影モード切替用に用いて、第１スイッチと第２スイッチとの間でオフ状態が生じても支障のない場合であれば、このような信号接点３５，３６の構成とすればよい。
【００５５】
さらに、図５に示したスイッチケース４１には、第２凹部４１Ｂ内の前方位置に仕切壁４２を２ヶ所設けている。この仕切壁４２は、スイッチケース４１の前方に突出する操作部３１Ｂの回転動作範囲の両側終端位置に対応して設けられており、その上面は、カバー３３下面が当接状態になるようにスイッチケース４１の上面と同一平面になされている。
【００５６】
これにより、操作部３１Ｂが回転動作範囲の終端に位置した際に仕切壁４２側面に当接することで回転止め面積が広くなり強固なものにできる。さらに、カバー３３が取り付けられて第２凹部４１Ｂ上面を塞ぐことができるため、第２凹部４１Ｂ内底面に設けられた周辺固定接点を防塵することができる。なお、この仕切壁を設ける思想は、前述した図１の構成のものにも適用することができる。
【００５７】
なお、以上には、回転スイッチ部の周辺接点部分における二種類の構成事例を説明したが、上記以外の配置構成のものであってもよい。また、片側で２段階以上にスイッチングする構成などにしてもよい。さらに、押圧スイッチ部の内部固定接点の配置位置や可動接点側を含んだ押圧スイッチ部の全体構成も上述したもののみに限定されることもない。そして、使用用途においても上述した以外の各種電子機器に用いるなどしてもよい。
【産業上の利用可能性】
【００５８】
本発明による複合操作型スイッチは、各固定接点などの配設状態が簡素で、かつ固定接点用の材料幅を抑え、使用材料を削減して効率化を図ったものを提供することができるという特徴を有し、押圧操作されて機能する押圧スイッチ部と回転操作されて機能する回転スイッチ部とをあわせ持つ電子機器の操作部用等に有用である。
【図面の簡単な説明】
【００５９】
【図１】本発明の一実施の形態による複合操作型スイッチの外観図
【図２】同分解斜視図
【図３】図１のＲ−Ｒ断面図
【図４】同スイッチケースの平面図
【図５】別形態のスイッチケースの平面図
【図６】従来の複合操作型スイッチの分解斜視図
【図７】図６のＰ−Ｐ断面図
【図８】図６のＱ−Ｑ断面図
【図９】同スイッチケースの平面図
【符号の説明】
【００６０】
２１，４１  スイッチケース
２１Ａ  第１凹部
２１Ｂ，４１Ｂ  第２凹部
２１Ｃ  円状壁部
２１Ｄ  溝部
２２  中央固定接点
２２Ａ，２３Ｃ，２４Ａ，２５Ａ，２６Ａ  端子
２３Ａ  第１外側固定接点
２３Ｂ  補助固定接点
２４  第２外側固定接点
２５，３５  第１信号接点
２６，３６  第２信号接点
２７  コモン固定接点
２８  第１可動接点
２８Ａ  円環部
２８Ｂ  脚部
２９  第２可動接点
３０  カバーシート
３１  回転体
３１Ａ  環状部
３１Ｂ  操作部
３２  摺動子
３２Ａ，３２Ｂ  接触部
３３  カバー
３３Ａ  貫通孔
４２  仕切壁
【図１】
2010123362.tif 000003
【図２】
2010123362.tif 000004
【図３】
2010123362.tif 000005
【図４】
2010123362.tif 000006
【図５】
2010123362.tif 000007
【図６】
2010123362.tif 000008
【図７】
2010123362.tif 000009
【図８】
2010123362.tif 000010
【図９】
2010123362.tif 000011